(57)【要約】【課題】床版や主桁の仕様に依らずに使用可能な汎用性を有し、仮固定に要する作業時間の短縮が可能な床版架設用仮固定金具を提供する。【解決手段】床版架設用仮固定金具１は、橋梁の主桁に載せられた床版を仮固定するための床版架設用仮固定金具１であって、床版に埋め込まれたインサートナットを介して床版に固定される固定パーツ１０と、固定パーツ１０に取り付けられる本体パーツ２０と、を備える。本体パーツ２０は、床版の張り出し部側面を押圧する床版押圧部２２ｃを有する床版アーム２２ａ、２２ｂと、主桁のフランジを押圧する主桁押圧部２１ｃを有する主桁アーム２１ａ、２１ｂと、床版アーム２２ａ、２２ｂ及び主桁アーム２１ａ、２１ｂを同一軸回りに回動可能に支持する主軸２３と、床版アーム２２ａ、２２ｂ及び主桁アーム２１ａ、２１ｂを互いに逆向きに回動させる回動機構と、を有する。【選択図】図２
2019007230.tif 000002
【特許請求の範囲】
【請求項１】
橋梁の主桁に載せられた床版を仮固定するための床版架設用仮固定金具であって、
前記床版に埋め込まれたインサートナットを介して前記床版に固定される固定パーツと、
前記固定パーツに取り付けられる本体パーツと、を備え、
前記本体パーツは、前記床版の張り出し部側面を押圧する床版押圧部を有する床版アームと、前記主桁のフランジを押圧する主桁押圧部を有する主桁アームと、前記床版アーム及び前記主桁アームを同一軸回りに回動可能に支持する主軸と、前記床版アーム及び前記主桁アームを互いに逆向きに回動させる回動機構と、を有する、
ことを特徴とする床版架設用仮固定金具。
【請求項２】
前記固定パーツは、前記主軸が懸架されて前記本体パーツが取り付けられる懸架溝を有する、
ことを特徴とする請求項１に記載の床版架設用仮固定金具。
【請求項３】
前記床版押圧部が前記床版アームに回動可能に設置されており、
前記主桁押圧部が前記主桁アームに回動可能に設置されている、
ことを特徴とする請求項１又は２に記載の床版架設用仮固定金具。
【発明の詳細な説明】
【技術分野】
【０００１】
本発明は、床版架設用仮固定金具に関する。
【背景技術】
【０００２】
高速道路をはじめとする道路や鉄道など、様々な箇所で床版橋が使用されている。床版橋の新設工事では、橋桁が建設されたのち、Ｈ鋼から構成される主桁が橋桁の上に架設され、主桁の上に床版が架設される。また、既設の床版橋では、経年劣化による危険性を考慮し、補修工事が行われている。補修工事では、主桁上の古い床版が撤去され、新しい床版が架設される。そして、主桁の上に床版を架設した後、固定金具や無収縮モルタルなどで本固定が行われる（例えば、特許文献１〜３）。
【０００３】
また、張り出し部を備える床版の場合、主桁のフランジに床版の張り出し部を載せ、本固定が完了するまで、床版が動かないよう、床版の仮固定が行われる。
【０００４】
床版の仮固定には、例えば、図１３に示すような床版架設用仮固定金具４０が用いられている。床版ＦＳの張り出し部底面ＦＳｂにインサートナットＦＳｄが埋め込まれており、図１４に示すように、このインサートナットＦＳｄを介して、床版架設用仮固定金具４０で床版ＦＳの張り出し部側面ＦＳｃ及び主桁ＢＧのフランジＢＧａを押圧して仮固定している。
【先行技術文献】
【特許文献】
【０００５】
【特許文献１】特開２００９−２８１１１１号公報
【特許文献２】特開２００９−２８１１１０号公報
【特許文献３】特公平３−８０２１０号公報
【発明の概要】
【発明が解決しようとする課題】
【０００６】
床版の張り出し部の幅や側面の形状のほか、主桁のフランジの厚み、フランジと床版の間に配置されるスペーサーの厚みなど種々の仕様がある。上述した床版架設用仮固定金具では調節幅が狭いことから、各使用現場にて床版や主桁の仕様に応じた適切なサイズの床版架設用仮固定金具を必要としていた。また、床版架設用仮固定金具の取り付け作業が面倒であり、仮固定に要する作業時間も長くなってしまう。
【０００７】
本発明は上記事項に鑑みてなされたものであり、その目的は、床版や主桁の仕様に依らずに使用可能な汎用性を有し、仮固定に要する作業時間の短縮が可能な床版架設用仮固定金具を提供することにある。
【課題を解決するための手段】
【０００８】
本発明に係る床版架設用仮固定金具は、
橋梁の主桁に載せられた床版を仮固定するための床版架設用仮固定金具であって、
前記床版に埋め込まれたインサートナットを介して前記床版に固定される固定パーツと、
前記固定パーツに取り付けられる本体パーツと、を備え、
前記本体パーツは、前記床版の張り出し部側面を押圧する床版押圧部を有する床版アームと、前記主桁のフランジを押圧する主桁押圧部を有する主桁アームと、前記床版アーム及び前記主桁アームを同一軸回りに回動可能に支持する主軸と、前記床版アーム及び前記主桁アームを互いに逆向きに回動させる回動部材と、を有する、
ことを特徴とする。
【０００９】
また、前記固定パーツは、前記主軸が懸架されて前記本体パーツが取り付けられる懸架溝を有することが好ましい。
【００１０】
また、前記床版押圧部が前記床版アームに回動可能に設置されており、
前記主桁押圧部が前記主桁アームに回動可能に設置されていることが好ましい。
【発明の効果】
【００１１】
本発明によれば、床版や主桁の仕様に依らずに使用可能な汎用性を有し、仮固定によるする作業時間の短縮化が可能な床版架設用仮固定金具を提供することができる。
【図面の簡単な説明】
【００１２】
【図１】床版架設用仮固定金具の斜視図である。
【図２】床版架設用仮固定金具の分解斜視図である。
【図３】床版架設用仮固定金具における主桁押圧部及び床版押圧部の動作を説明する側面図である。
【図４】図４（Ａ）、（Ｂ）は、図１のＡ−Ａ’方向を見た床版架設用仮固定金具における主桁アーム及び床版アームの動作を説明する断面図である。
【図５】床版架設用仮固定金具を使用して床版を主桁に仮固定する様子を示す図である。
【図６】床版架設用仮固定金具を使用して床版を主桁に仮固定する様子を示す図である。
【図７】床版架設用仮固定金具を使用して床版を主桁に仮固定する様子を示す図である。
【図８】床版架設用仮固定金具を使用して床版を主桁に仮固定する様子を示す図である。
【図９】床版架設用仮固定金具を使用して床版を主桁に仮固定した様子を示す図である。
【図１０】床版架設用仮固定金具を使用して床版を主桁に仮固定した様子を示す図である。
【図１１】床版架設用仮固定金具を使用して床版を主桁に仮固定した様子を示す図である。
【図１２】他の形態に係る固定パーツの斜視図である。
【図１３】従来の固定金具を示す分解斜視図である。
【図１４】従来の固定金具を使用して床版を主桁に仮固定した様子を示す図である。
【発明を実施するための形態】
【００１３】
以下、図を参照しつつ、本実施の形態に係る床版架設用仮固定金具を説明する。床版架設用仮固定金具１は、床版橋の建設、補修工事において、主桁に床版を配置する際に使用される仮固定金具である。図１〜図４に示すように、床版架設用仮固定金具１は、固定パーツ１０及び本体パーツ２０を備える。
【００１４】
固定パーツ１０は、床版の張り出し部に埋め込まれたインサートナットを介して、床版に固定されるとともに、本体パーツ２０が取り付けられるパーツである。固定パーツ１０は、２枚の側板１１ａ、１１ｂ及び側板１１ａ、１１ｂ同士をつなぐ底板１２から構成される。底板１２には、ボルトが貫通するボルト孔１４が形成されている。側板１１ａ、１１ｂには、後述する本体パーツ２０の支軸２３が引っ掛けられる懸架溝１３が形成されている。
【００１５】
本体パーツ２０は、固定パーツ１０に取り付けられ、床版の張り出し部側面及び主桁のフランジを押圧するパーツである。本体パーツ２０は、主桁アーム２１ａ、２１ｂ、主桁押圧部２１ｃ、床版アーム２２ａ、２２ｂ、床版押圧部２２ｃ、主軸２３、回動部材２４を備える。
【００１６】
主桁アーム２１ａ、２１ｂの一方の端部に主桁押圧部２１ｃが設置されている。主桁押圧部２１ｃは、主桁のフランジを押圧する部材である。主桁押圧部２１ｃは、断面コの字状であり、主桁アーム２１ａ、２１ｂそれぞれの先端部にピン２１ｄ等を介したピボット機構により回動可能に設置されている。また、主桁アーム２１ａ、２１ｂの他方の端部には、アーム規制部材２４ａが設置されている。アーム規制部材２４ａは、図３に示すように、ピン２４ｈ等を介したピボット機構により主桁アーム２１ａ、２１ｂに回動可能に設置されている。
【００１７】
床版アーム２２ａ、２２ｂの一方の端部に、床版押圧部２２ｃが設置されている。床版押圧部２２ｃは、床版の張り出し部側面を押圧する部材である。床版押圧部２２ｃは、断面コの字状であり、床版アーム２２ａ、２２ｂそれぞれの先端部にピン２２ｄ等を介したピボット機構により回動可能に設置されている。また、床版アーム２２ａ、２２ｂの他方の端部には、アーム規制部材２４ｂが設置されている。アーム規制部材２４ｂは、図３に示すように、ピン２４ｇ等を介したピボット機構により床版アーム２２ａ、２２ｂに回動可能に設置されている。
【００１８】
主軸２３は、主桁アーム２１ａ、２１ｂ及び床版アーム２２ａ、２２ｂを軸支するとともに、固定パーツ１０の懸架溝１３に架けられる部材である。主軸２３の一方の端部に、主桁アーム２１ａと床版アーム２２ａとがそれぞれ回動可能に軸支され、他方の端部に、主桁アーム２１ｂと床版アーム２２ｂとがそれぞれ回動可能に軸支されている。これにより、主軸２３を軸にして、主桁アーム２１ａ、２１ｂ及び床版アーム２２ａ、２２ｂがそれぞれ回動可能に構成されている。
【００１９】
床版アーム２２ａ、２２ｂ同士の間隔、及び、主桁アーム２１ａ、２１ｂ同士の間隔は、固定パーツ１０の側板１１ａ、１１ｂ同士の間隔よりも広く構成されている。これにより、固定パーツ１０の懸架溝１３に本体パーツ２０の主軸２３をスムーズに引っ掛けることが可能である。
【００２０】
回動調節部材は主桁アーム２１ａ、２１ｂの端部に接続されたアーム規制部材２４ａ、床版アーム２２ａ、２２ｂの端部に接続されたアーム規制部材２４ｂ、スクリューボルト２４ｃ等から構成されている。
【００２１】
スクリューボルト２４ｃは、周面にねじ山（不図示）を有し、アーム規制部材２４ａ、２４ｂに形成された孔に挿入されている。スクリューボルト２４ｃの先端部は、アーム規制部材２４ｂの両側でナット２４ｄ、２４ｅにより固定されている。これにより、スクリューボルト２４ｃが回転しても、アーム規制部材２４ｂに対し、スクリューボルト２４ｃの軸方向の位置関係が変わることがない。
【００２２】
一方、スクリューボルト２４ｃの頭部側は、アーム規制部材２４ａに固定されたナット２４ｆに螺合している。したがって、スクリューボルト２４ｃを回転させると、アーム規制部材２４ａとスクリューボルト２４ｃの頭部との相対位置は、スクリューボルト２４ｃの軸方向に変化する。
【００２３】
主桁アーム２１ａ、２１ｂと床版アーム２２ａ、２２ｂとは、主軸２３に回動可能に軸支されているので、スクリューボルト２４ｃを回転させることで、アーム規制部材２４ａとアーム規制部材２４ｂとが近接、離間することになる。すなわち、図４（Ａ）、（Ｂ）に示すように、スクリューボルト２４ｃを回転させると、主軸２３を支点にして主桁アーム２１ａ、２１ｂと床版アーム２２ａ、２２ｂとが、それぞれ逆向きに回動する。
【００２４】
なお、上述した床版架設用仮固定金具１の各構成部品は、それぞれ十分な機械的強度、耐候性を有する素材から構成されることが好ましい。
【００２５】
上述した床版架設用仮固定金具１を使用して、床版を主桁に仮固定を行う方法について説明する。まず、図５に示すように、主桁ＢＧに床版ＦＳが載せられる。床版ＦＳは張り出し部ＦＳａが主桁ＢＧのフランジＢＧａに配置されるように載せられる。また、フランジＢＧａには、主桁ＢＧの長手方向に沿って所定間隔でスペーサーＳＰが配置されている。スペーサーＳＰは、後述する本固定において、無収縮モルタル等の充填固定剤を充填するためのスペースを構築するために配置される。
【００２６】
張り出し部ＦＳａには、インサートナットＦＳｄが埋め込まれている。このインサートナットＦＳｄを介して、図６に示すように、固定パーツ１０を張り出し部底面ＦＳｂに取り付け、固定する。具体的には、固定パーツ１０の底板１２のボルト孔１４とインサートナットＦＳｄとの位置を合わせ、底板１２を張り出し部底面ＦＳｂに当接させる。そして、ボルト３０をボルト孔１４に通し、インサートナットＦＳｄに螺合させることにより、固定パーツ１０を張り出し部ＦＳａに取り付ける。
【００２７】
続いて、図７に示すように、固定パーツ１０の懸架溝１３に本体パーツ２０の主軸を引っ掛けて、本体パーツ２０を固定パーツ１０に取り付ける。なお、本体パーツ２０を取り付ける際、主桁押圧部２１ｃと床版押圧部２２ｃとが離間するよう、スクリューボルト２４ｃを回転させて調節し、固定パーツ１０に取り付けやすくするとよい。
【００２８】
本体パーツ２０を取り付けた後、スクリューボルト２４ｃを主桁押圧部２１ｃと床版押圧部２２ｃとが近接するように回転させる。スクリューボルト２４ｃを回転させることで、主桁アーム２１ａ、２１ｂ及び床版アーム２２ａ、２２ｂが主軸２３を支点にそれぞれ逆向きに回動する。図７においては、主桁アーム２１ａ、２１ｂが反時計回りに、また、床版アーム２２ａ、２２ｂが時計回りに回動する。
【００２９】
そして、図８に示すように、床版押圧部２２ｃが張り出し部側面ＦＳｃに当接し、床版押圧部２２ｃが床版ＦＳの張り出し部側面ＦＳｃを押圧する。また、主桁押圧部２１ｃがフランジＢＧａに当接し、主桁押圧部２１ｃが主桁ＢＧのフランジＢＧａの下側から床版ＦＳの張り出し部底面ＦＳｂに向けて押圧することになる。以上のようにして、床版架設用仮固定金具１を使用して床版ＦＳを主桁ＢＧに仮固定することができる。
【００３０】
その後、フランジＢＧａと張り出し部底面ＦＳｂとの間に無収縮モルタル等の充填固定剤を充填し、硬化させることにより張り出し部底面ＦＳｂとフランジＢＧａとが強固に接着され本固定が行われる。
【００３１】
なお、本固定後、床版架設用仮固定金具１を取り外す。床版架設用仮固定金具１の取り外しは、上記の取り付けの手順と逆の手順で行えばよい。
【００３２】
現状、床版橋の新設工事や補修工事等で使用される床版や主桁には様々な仕様のものが使用されている。例えば、床版の張り出し部側面の形状のほか、主桁のフランジの厚み、スペーサーの厚み、張り出し部におけるインサートナットから張り出し部側面までの距離などは統一されておらず、様々な仕様がある。しかし、本実施の形態に係る床版架設用仮固定金具１では、汎用性が高く、種々の工事現場にて使用可能である。
【００３３】
例えば、図９に示すように、床版の張り出し部側面ＦＳｃがテーパー状であっても、床版押圧部２２ｃが回動可能に構成されているので、床版ＦＳの張り出し部側面ＦＳｃを押圧でき、仮固定することができる。
【００３４】
また、図１０に示すように、主桁ＢＧのフランジＢＧａやスペーサーＳＰの厚みが大きく、フランジＢＧａの底面から張り出し部底面ＦＳｂまでの距離が大きい場合や、逆に、主桁ＢＧのフランジＢＧａやスペーサーＳＰの厚みが小さく、フランジＢＧａの底面から張り出し部底面ＦＳｂまでの距離が小さい場合でも、仮固定することができる。
【００３５】
また、図１１に示すように、インサートナットＦＳｄから張り出し部側面ＦＳｃまでの距離が長い場合や、逆に、インサートナットＦＳｄから張り出し部側面ＦＳｃまでの距離が短い場合でも、仮固定することができる。
【００３６】
以上のように、本実施の形態に係る床版架設用仮固定金具１は、床版ＦＳや主桁ＢＧの仕様によらず様々な工事現場で使用することができ、非常に汎用性が高い。
【００３７】
更には、床版架設用仮固定金具１では、固定パーツ１０と本体パーツ２０の２つのパーツに分離しており、相対的に小さく軽量なパーツである固定パーツ１０を床版ＦＳの張り出し部底面ＦＳｂに容易に取り付けることができる。その後、本体パーツ２０の主軸２３を固定パーツ１０の懸架溝１３に引っ掛けるだけで、容易に本体パーツ２０を固定パーツ１０に取り付けることができる。そして、スクリューボルト２４ｃをインパクトレンチ等の電動工具を用いて回転させるだけで仮固定できる。このため、一人の作業者でも容易に仮固定でき、仮固定に要する作業時間も短縮できる。
【００３８】
上記説明では、本体パーツ２０の主軸２３を固定パーツ１０の懸架溝１３に架けて、固定パーツ１０に本体パーツ２０を取り付ける構成について説明したが、固定パーツ１０に本体パーツ２０を取り付けることが可能であれば、上記に限定されない。
【００３９】
また、図１２に示すように、固定パーツ１０の側板１１ａ、１１ｂに懸架溝１３が複数形成されていてもよい。使用現場に応じて、どの懸架溝１３に本体パーツ２０の主軸２３を架けるかによって、より調整幅を広げることができる。
【００４０】
また、回動部材２４は、主桁アーム２１ａ、２１ｂ及び床版アーム２２ａ、２２ｂを回動させることができれば、どのような形態であってもよく、例えば、アーム規制部材２４ａ、２４ｂ同士、或いは、主桁アーム２１ａ、２１ｂ及び床版アーム２２ａ、２２ｂの端部同士をジャッキによって近接、離間させる形態のほか、チェーンやワイヤーで近接、離間させる機構でもよい。
【００４１】
また、主桁アーム２１ａ、２１ｂ及び床版アーム２２ａ、２２ｂがそれぞれ２本（一対）備える構成について説明したが、上述した床版架設用仮固定金具１の機能を果たし得る限り、それぞれ１本であっても３本以上備える形態であってもよい。
【符号の説明】
【００４２】
１    床版架設用仮固定金具
１０    固定パーツ
１１ａ、１１ｂ  側板
１２    底板
１３    懸架溝
１４    ボルト孔
２０    本体パーツ
２１ａ、２１ｂ    主桁アーム
２１ｃ  主桁押圧部
２１ｄ  ピン
２２ａ、２２ｂ  床版アーム
２２ｃ  床版押圧部
２２ｄ  ピン
２３    主軸
２４    回動部材
２４ａ、２４ｂ  アーム規制部材
２４ｃ  スクリューボルト
２４ｄ、２４ｅ、２４ｆ  ナット
２４ｇ、２４ｈ  ピン
３０    ボルト
４０    床版架設用仮固定金具
ＦＳ    床版
ＦＳａ  張り出し部
ＦＳｂ  張り出し部底面
ＦＳｃ  張り出し部側面
ＦＳｄ  インサートナット
ＢＧ    主桁
ＢＧａ  フランジ
ＳＰ    スペーサー
【図１】
2019007230.tif 000003
【図２】
2019007230.tif 000004
【図３】
2019007230.tif 000005
【図４】
2019007230.tif 000006
【図５】
2019007230.tif 000007
【図６】
2019007230.tif 000008
【図７】
2019007230.tif 000009
【図８】
2019007230.tif 000010
【図９】
2019007230.tif 000011
【図１０】
2019007230.tif 000012
【図１１】
2019007230.tif 000013
【図１２】
2019007230.tif 000014
【図１３】
2019007230.tif 000015
【図１４】
2019007230.tif 000016